(57)【要約】【課題】本発明は、曲線状のレールに沿ってスムーズに移動させることができると共に、構造の簡素化及び軽量化を実現させた移動式テントを提供する。【解決手段】本発明に係る移動式テントは、曲線状に延びる２本のレール５に沿って移動可能な移動式テント１である。移動式テント１は、２本のレール５間に空間を有する門形状を成すように２本のレール５上に設けられて、レール５が延在する方向に沿って並設される複数の骨組み部２と、骨組み部２の下端部に固定されてレール５上で転動するローラと、骨組み部２を覆うようにして骨組み部２に支持されたテント膜と、一の骨組み部２を覆うテント膜と他の骨組み部２を覆うテント膜とに連結される伸縮可能な連結膜４と、を備えている。【選択図】図１
2015151701.tif 000002
【特許請求の範囲】
【請求項１】
曲線状に延びる２本のレールに沿って移動可能な移動式テントであって、
前記２本のレール間に空間を有する門形状を成すように前記２本のレール上に設けられて、前記レールが延在する方向に沿って並設される複数の骨組み部と、
前記骨組み部の下端部に固定されて前記レール上で転動するローラと、
前記骨組み部を覆うようにして前記骨組み部に支持されたテント膜と、
一の前記骨組み部を覆う前記テント膜と他の前記骨組み部を覆う前記テント膜とに連結される伸縮可能な連結部材と、
を備えたことを特徴とする移動式テント。
【請求項２】
前記連結部材は、膜部材によって、一の前記骨組み部を覆う前記テント膜と他の前記骨組み部を覆う前記テント膜とが離隔した状態で、連結される連結膜であることを特徴とする請求項１に記載の移動式テント。
【請求項３】
前記レールの上端にはフランジ部が設けられており、
前記骨組み部の下端部には、前記フランジ部の下方に位置し、前記レールに対して前記骨組み部が傾斜したときに前記フランジ部の下面に当接する傾斜抑制手段が設けられていることを特徴とする請求項１又は２に記載の移動式テント。
【請求項４】
前記レールが延在する方向の端部側に位置する２台の前記骨組み部の褄側上部には、褄上部膜が設けられていることを特徴とする請求項１〜３のいずれか一項に記載の移動式テント。
【請求項５】
前記褄上部膜の下部には、巻き上げ可能な垂れ幕が具備されていることを特徴とする請求項４に記載の移動式テント。
【請求項６】
前記テント膜、前記連結膜、前記褄上部膜及び前記垂れ幕は、前記骨組み部内の前記空間で発生した音の漏れを抑制する防音膜であることを特徴とする請求項５に記載の移動式テント。
【発明の詳細な説明】
【技術分野】
【０００１】
本発明は、レールに沿って移動する移動式テントに関する。
【背景技術】
【０００２】
特開２００３−３１４０８８号公報には、雨よけ等のために屋外で用いられる移動式テントが記載されている。この移動式テントは、傾斜を有するエスカレータに沿って配置されており、このエスカレータに沿って移動可能となっている。また、上記の公報には、上下一対に設けられたレールの組を２組備えたレールユニットが記載されており、上下一対に設けられたレールの組はエスカレータを挟んで左右対称に設けられている。また、この移動式テントは、４個のローラを備えており、各ローラをレールユニットの各レール上で転動させることによって移動式テントは移動する。
【０００３】
また、上記の移動式テントは、アーチ状に形成された複数のフレームと、フレーム間を連結するカバーとを備えている。フレーム及びカバーの組は上方部位と下方部位とで分離可能となっており、上方部位と下方部位とは連結手段で連結されている。この連結手段は、上方部位及び下方部位のそれぞれに設けられた定滑車と、定滑車に掛け回されたワイヤとで構成されている。この移動式テントは、上記のカバーが蛇腹状となっており、必要に応じて広げたり畳んだりすることが可能となっている。
【先行技術文献】
【特許文献】
【０００４】
【特許文献１】特開２００３−３１４０８８号公報
【発明の概要】
【発明が解決しようとする課題】
【０００５】
上述した移動式テントは、蛇腹状となっているのでレールに沿う方向に伸縮可能となっている。しかしながら、この移動式テントでは、レールがエスカレータに対して左右対称に設けられており、各レールに沿ってアーチ状に形成されたフレームが移動する。よって、左右対称に設けられた２本のレールのうち、一方のレールに対してフレームを移動させると、他方のレールに対してもフレームが移動してしまう。従って、特にレールが曲線状である場合に、レールに沿って移動式テントをスムーズに移動させることができないという問題がある。
【０００６】
また、上述したような蛇腹状の移動式テントは、ローラユニット、複数のフレーム及びカバー、並びに定滑車及びワイヤからなる連結手段を備えているので、構造が複雑で且つ重量が重いという問題がある。よって、構造をより簡易にすると共に軽量化を実現させた移動式テントが求められている。
【０００７】
本発明は、曲線状のレールに沿ってスムーズに移動させることができると共に、構造の簡素化及び軽量化を実現させた移動式テントを提供することを目的とする。
【課題を解決するための手段】
【０００８】
本発明の移動式テントは、曲線状に延びる２本のレールに沿って移動可能な移動式テントであって、２本のレール間に空間を有する門形状を成すように２本のレール上に設けられて、レールが延在する方向に沿って並設される複数の骨組み部と、骨組み部の下端部に固定されてレール上で転動するローラと、骨組み部を覆うようにして骨組み部に支持されたテント膜と、一の骨組み部を覆うテント膜と他の骨組み部を覆うテント膜とに連結される伸縮可能な連結部材と、を備えたことを特徴とする。
【０００９】
本発明に係る移動式テントでは、複数の骨組み部がレールの延在方向に沿って並設され、各骨組み部にテント膜が覆われており、そして、一の骨組み部を覆うテント膜と他の骨組み部を覆うテント膜とが連結膜によって連結されている。よって、この移動式テントを曲線状のレールに沿って移動させると、上記の連結膜が伸縮することによって各骨組み部がレールに沿ってスムーズに移動することとなる。従って、レールに沿って並設された複数の骨組み部を曲線状のレールにスムーズに追従させることができる。また、本発明に係る移動式テントは、複数の骨組み部を並設しているので強度が高められた構造となっている。そして、この移動式テントは、骨組み部、ローラ、テント膜及び連結膜で構成されているので、上述した従来の移動式テントと比較して、軽量にすることができ、構造を簡素化させることもできる。
【００１０】
また、連結部材は、膜部材によって、一の骨組み部を覆うテント膜と他の骨組み部を覆うテント膜とが離隔した状態で、連結される連結膜であってもよい。この場合、連結膜は各テント膜が離隔した状態で連結される。よって、移動式テントがレールに沿って移動する場合において、各テント膜が接近した場合には連結膜が弛み、各テント膜が離隔した場合には連結膜が伸びることとなる。従って、曲線状のレールに沿った移動に伴って連結膜がスムーズに伸縮するので、よりスムーズに移動式テントを移動させることができる。
【００１１】
また、レールの上端にはフランジ部が設けられており、骨組み部の下端部には、フランジ部の下方に位置し、レールに対して骨組み部が傾斜したときにフランジ部の下面に当接する傾斜抑制手段が設けられていてもよい。このような傾斜抑制手段が設けられていることにより、レールに対する骨組み部の傾斜が抑制されるとともにレールからの浮き上がり及び脱輪を防止することができ、レール上で骨組み部を安定した状態で移動させることができる。
【００１２】
また、レールが延在する方向の端部側に位置する２台の骨組み部の褄側上部には、褄上部膜が設けられていてもよい。更に、褄上部膜の下部には、巻き上げ可能な垂れ幕が具備されていてもよい。褄上部膜の下部に巻き上げ可能な垂れ幕を具備することにより、防音効果を高めたい場合は垂れ幕を下の方まで垂らし、防音効果を高める必要がない場合（例えば騒音が生じない作業を行う場合）は垂れ幕を巻き上げておくことが可能となる。また、垂れ幕を巻き上げることによって、移動式テントの内部への資材搬入をスムーズに行うことが可能となる。このように、状況に応じて、垂れ幕を下の方まで垂らしたり、垂れ幕を巻き上げたりすることが可能となる。
【００１３】
また、テント膜、連結膜、褄上部膜及び垂れ幕は、骨組み部内の空間で発生した音の漏れを抑制する防音膜であってもよい。この場合、骨組み部内の空間で工事を行ったようなときであっても、工事の騒音が移動式テントの外部に漏れるのを抑制することができる。また、例えば曲線状の道路橋を架設する工事を行う場合に、工事を行っている箇所に曲線状のレールに沿って移動式テントを移動させることによって、曲線状の道路橋の架設時における騒音の漏れを防止することも可能となる。
【発明の効果】
【００１４】
本発明によれば、曲線状のレールに沿ってスムーズに移動させることができると共に、構造の簡素化及び軽量化を実現させた移動式テントを提供することができる。
【図面の簡単な説明】
【００１５】
【図１】本発明に係る移動式テントの一実施形態を示す平面図である。
【図２】図１の移動式テントをレールの延在方向から見た側面図である。
【図３】図１の移動式テントを示す斜視図である。
【図４】図１の移動式テントをレールに直交する方向から見た側面図である。
【図５】図１の移動式テントを示す平面図である。
【図６】図１の移動式テントにおける傾斜抑制手段を示す断面図である。
【発明を実施するための形態】
【００１６】
以下、図面を参照しつつ、本発明に係る移動式テントの実施形態について詳細に説明する。
【００１７】
図１に示されるように、移動式テント１は、水平面上において曲線状となっている２本のレール５に沿って移動可能となっている。２本のレール５は、互いに平行となるように設置されている。移動式テント１は、人手でレール方向Ｄに押されることによって移動する。ここでレール方向Ｄとは、各レール５が延在する方向を示している。この移動式テント１の内部では工事を行うことが可能となっており、この工事の騒音は移動式テント１によって外部に漏れにくくなっている。
【００１８】
移動式テント１の内部で行われる工事としては、例えば道路橋の架設工事が挙げられる。この場合、図２に示されるように、道路橋を構成する桁２０が３台の自走台車１０上に載置されて次々に送り出される。この桁２０は、例えば、鋼で構成され、水平面上において曲線状となっている。自走台車１０は、水平面上で曲線状となっている軌道１１に沿って走行するが、この軌道１１を設置する工事も移動式テント１の内部で行われる。
【００１９】
上述した自走台車１０及び桁２０が内部の空間Ｋに位置する移動式テント１は、図１及び図３に示されるように、レール５に沿うように並設される４台の骨組み部２と、各骨組み部２を覆うテント膜３と、各テント膜３を連結させる伸縮可能な連結膜（連結部材）４と、を備えている。なお、図１、図２、図４及び図５では骨組み部２を示すためテント膜３を省略し、テント膜３は図３に図示している。
【００２０】
図２に示されるように、骨組み部２は、２本のレール５間に空間Ｋを有する門形状となっている。骨組み部２は、レール方向Ｄに延在する頂部Ｔから斜め下方に延びる一対の屋根部２Ａと、各屋根部２Ａの下端から鉛直下方に延在する壁部２Ｂと、を備えている。各壁部２Ｂの下方には２本のレール５が設置されている。図４及び図５に示されるように、屋根部２Ａ及び壁部２Ｂは、それぞれ、レール方向Ｄに延在する複数の梁材２ａと、梁材２ａと直角を成すように梁材２ａと交差する複数の柱材２ｂと、梁材２ａ及び柱材２ｂで形成される長方形状の空間Ｓで対角線上に延在する斜材２ｃと、を備えている。これらの部材２ａ，２ｂ，２ｃは、例えばスチールパイプである。
【００２１】
本実施形態においては、骨組み部２の各屋根部２Ａにおいて、梁材２ａ及び柱材２ｂで形成された長方形状の空間Ｓは、レール方向Ｄに２個又は３個設けられており、レール方向Ｄの直交方向に９個設けられている。また、骨組み部２の各壁部２Ｂにおいて、梁材２ａ及び柱材２ｂで形成される長方形状の空間Ｓは、レール方向Ｄに２個又は３個設けられており、鉛直方向に８個設けられている。但し、空間Ｓの個数や配置態様は適宜変更することが可能である。
【００２２】
また、移動式テント１は、４台の骨組み部２がレール方向に連結されることで安定性が高くなっている。骨組み部２の屋根部２Ａ及び壁部２Ｂは、複数の部材２ａ，２ｂ，２ｃが組まれることによって構成され、複数の部材２ａ，２ｂ，２ｃが互いに交差して形成されたトラス構造を備えている。このような骨組み部２を備えた移動式テント１は、強風（例えば風速３５ｍ／ｓ程度の強風）にも耐え得る強固な構造となっている。
【００２３】
図３に示されるように、テント膜３は、骨組み部２を外側から覆う防音膜であり、テント膜３の内部の空間Ｋで行われる工事の騒音を外部に漏れにくくしている。テント膜３は、不透水性の材料で構成されている。よって、雨水等がテント膜３の内部の空間Ｋに入らないようになっているので、雨天時でも移動式テント１を利用することが可能である。このように移動式テント１は全天候型となっている。また、テント膜３は、ロープ（不図示）を内部に備えており、このロープが骨組み部２の部材２ａ，２ｂ，２ｃに縫い付けられることによって、骨組み部２に支持されている。
【００２４】
また、レール方向Ｄに並設される４台の骨組み部２のうち、両端側に位置する２台の骨組み部２の褄側上部には、移動式テント１の内部の騒音が外部に漏れることを防止する防音膜として機能する褄上部膜１３が設けられている。褄上部膜１３は、移動式テント１におけるレール方向Ｄの端部に設けられている。褄上部膜１３は、テント膜３と同様、骨組み部２に縫い付けられることにより、骨組み部２に支持されている。褄上部膜１３の下部には、巻き上げ可能な複数枚（図３では６枚）の垂れ幕１４が具備されている。このように、移動式テント１は褄上部膜１３及び垂れ幕１４を備えているので、防音性が一層高められている。なお、褄上部膜１３及び垂れ幕１４の材料は、テント膜３と同様、不透水性の材料とすることができる。
【００２５】
また、褄上部膜１３の下部に垂れ幕１４を具備しているので、防音効果を高めたい場合は垂れ幕１４を下の方まで垂らし、防音効果を高める必要がない場合（例えば騒音が生じない作業を行う場合）は垂れ幕１４を巻き上げておくことが可能となる。垂れ幕１４を巻き上げることによって、移動式テント１の内部への資材搬入をスムーズに行うことが可能となる。このように、状況に応じて、垂れ幕１４を下の方まで垂らしたり、垂れ幕１４を巻き上げたりすることが可能となる。
【００２６】
骨組み部２を外側から覆う各テント膜３は、連結膜４によって連結されている。よって、各骨組み部２はテント膜３及び連結膜４のみを介して連結されているので、各骨組み部２をレール方向Ｄに対して柔軟に傾けられるようになっている。また、連結膜４は、各骨組み部２がレール方向Ｄに離隔した状態で各テント膜３に連結される。よって、図１に示されるように、移動式テント１が曲線状のレール５に沿って移動する場合において、各骨組み部２が互いに接近した場合には連結膜４が弛み、各骨組み部２が離隔した場合には連結膜４が伸びることとなる。
【００２７】
具体的には、例えば移動式テント１を直線状のレールに沿って移動させた場合には連結膜４は弛んだ状態となる。そして、移動式テント１を曲線状のレール５に沿って移動させる場合には、曲線状のレール５の外側に位置する連結膜４が伸びると共にレール５の内側に位置する連結膜４が弛んだ状態となる。このように、曲線状のレール５に沿った移動に伴って連結膜４がスムーズに伸縮するので、よりスムーズに移動式テント１を移動させることができる。なお、連結膜４は、テント膜３と同様に不透水性の材料で構成されている。また、連結膜４は、テント膜３より若干薄い膜となっている。
【００２８】
図６に示されるように、レール５としては、例えば直線状のＨ形鋼を少しずつ傾けながら複数並べていくことにより、曲線状のレール５とすることができる。また、レール５は、地面Ｇに設置された一対の支持部材１５に溶接されている。支持部材１５は、例えば山形鋼等を用いることができる。支持部材１５において、２つの外側面１５ａ，１５ｂのうち、一方の外側面１５ａは地面Ｇに接触する。また、他方の外側面１５ｂには、レール５の下側に位置するフランジ部５ａの両端が溶接で固定されている。ここで、レール５は、フランジ部５ａ，５ｂが水平方向に延在した状態で一対の支持部材１５に固定されている。
【００２９】
骨組み部２の下端部には、レール５におけるフランジ部５ｂの上面で転動する２個のローラ７が固定されている。ローラ７は、骨組み部２の下端とレール５の上側に位置するフランジ部５ｂとの間に配置される。また、骨組み部２の下端部には、骨組み部２がレール５に対して傾斜することを抑制する傾斜抑制手段６が設けられている。傾斜抑制手段６は、レール５に対して対称となるように配置された一対のプロペラ部６ａ，６ｂを備えている。プロペラ部６ａ，６ｂは、それぞれ水平面上で回転自在となっている。また、プロペラ部６ａ，６ｂは、それぞれ骨組み部２の下端で固定された支持手段８によって支持されている。
【００３０】
各プロペラ部６ａ，６ｂは、レール５を構成するＨ形鋼の継手となるエンドプレート（不図示）に当接すると回転する。また、レール５に対して骨組み部２が傾斜したときには、プロペラ部６ａ及びプロペラ部６ｂのいずれかが、レール５の上側に位置するフランジ部５ｂの下面５ｃに当接する。プロペラ部６ａ，６ｂを支持する支持手段８は、２個のローラ７を挟むようにローラ７の両側に設けられている。よって、ローラ７のレール５からの脱輪が一層抑制される。
【００３１】
以上、本実施形態の移動式テント１では、図１及び図３に示されるように、４台の骨組み部２がレール５に沿って並設され、一の骨組み部２を覆うテント膜３と他の骨組み部２を覆うテント膜３とが連結膜４によって連結されている。よって、移動式テント１をその端部を牽引する等して曲線状のレール５に沿って移動させると、連結膜４が伸縮することによって各骨組み部２がレール５上から脱輪することなく、レール５の曲率に沿ってスムーズに移動することとなる。従って、レール５に沿って並設された４台の骨組み部２を曲線状のレール５にスムーズに追従させることができる。
【００３２】
また、移動式テント１は、骨組み部２、ローラ７、テント膜３及び連結膜４で構成されているので、従来の移動式テントと比較して構造が簡素化されているので、軽量にすることができる。このように移動式テント１では軽量化が実現されているので、例えば数人の作業者が移動式テント１をレール方向Ｄに押すことによって、簡単に移動式テント１を移動させることができる。
【００３３】
また、図６に示されるように、レール５の上端にはフランジ部５ｂが設けられており、骨組み部２の下端部には、フランジ部５ｂの下方に位置し、レール５に対して骨組み部２が傾斜したときにフランジ部５ｂの下面５ｃに当接する傾斜抑制手段６が設けられている。よって、レール５に対する骨組み部２の傾斜が抑制されるとともにレール５からの浮き上がり及び脱輪を防止することができ、レール５上で骨組み部２を安定した状態で移動させることができる。
【００３４】
また、テント膜３、連結膜４、褄上部膜１３及び垂れ幕１４は、骨組み部２内の空間Ｋで発生した音の漏れを抑制する防音膜である。よって、骨組み部２の内部の空間Ｋで工事を行ったときであっても、工事の騒音が移動式テント１の外部に漏れるのを抑制することができる。また、例えば曲線状の道路橋を架設する工事を行う場合に、工事を行っている箇所に曲線状のレール５に沿って移動式テント１を移動させることによって、曲線状の道路橋の架設時における騒音の漏れを防止することも可能となる。
【００３５】
本発明は、上述した実施形態に限定されず、本発明の要旨を逸脱しない範囲で、下記のような種々の変形が可能である。
【００３６】
例えば、骨組み部２は４台設けられていたが、骨組み部２の台数は２台若しくは３台、又は５台以上としてもよい。また、骨組み部２は、複数の部材２ａ，２ｂ，２ｃが互いに交差して形成されたトラス構造を備えていた。しかし、骨組み部の構造としては、トラス構造に限定されず、種々の構造を採用することができる。
【００３７】
テント膜３は、骨組み部２を外側から覆う防音膜であったが、例えば雨除け等、防音以外の用途でテント膜を用いることも可能である。また、褄上部膜１３及び垂れ幕１４を省略することも可能である。更に、各テント膜３を連結させる連結膜４に代えて、鎖、ロープ又はワイヤによって各テント膜３を連結させることも可能である。
【００３８】
また、骨組み部２の下部には２個のローラ７が固定されていたが、ローラ７の個数は、１個又は３個以上であってもよく、特に限定されない。
【００３９】
また、上記実施形態では、傾斜抑制手段６がプロペラ部６ａ，６ｂを備えていたが、傾斜抑制手段としては本実施例で示したプロペラ部材以外の構成を採用することも可能である。また、レール５がＨ形鋼である例について説明したが、Ｈ形鋼以外のものをレールとして用いることも可能である。
【００４０】
また、上記実施形態では、移動式テント１の内部で工事が行われ工事の騒音を外部に漏れにくくする例について説明したが、本発明に係る移動式テントは、防音以外の用途で用いることも可能である。
【符号の説明】
【００４１】
１…移動式テント、２…骨組み部、２ａ…梁材、２ｂ…柱材、２ｃ…斜材、３…テント膜（防音膜）、４…連結膜（連結部材）、５…レール、５ａ，５ｂ…フランジ部、６…傾斜抑制手段、６ａ，６ｂ…プロペラ部、７…ローラ、１３…褄上部膜、１４…垂れ幕、Ｄ…レール方向、Ｋ…空間。
【図１】
2015151701.tif 000003
【図２】
2015151701.tif 000004
【図３】
2015151701.tif 000005
【図４】
2015151701.tif 000006
【図５】
2015151701.tif 000007
【図６】
2015151701.tif 000008